(57)【要約】      （修正有）【課題】厚い空気層を有し、しかもフィット感が良好な羽毛掛け布団を提供する。【解決手段】表地と裏地を立体キルト状に縫い合わせることにより複数の区画室を製袋し、各区画室に羽毛を充填した羽毛掛け布団において、表地１と裏地４間に表地側中地２と裏地側中地３を介在させることにより、表地と表地側中地間、表地側中地と裏地側中地間、裏地側中地と裏地間のそれぞれを立体キルト状に縫い合わた上層の区画室Ｒ１、中間層の区画室Ｒ２、下層の区画室Ｒ３の上下３層の区画室を設けるとともに、上層の区画室の位置と、中間層の区画室の位置と、下層の区画室の位置をずらすことにより、表地と表地側中地のキルトの縫い目に対し、裏地側中地と裏地間のキルトの縫い目が重ならないようにする。【選択図】図２
0003202580.tif 000002
【実用新案登録請求の範囲】
【請求項１】
格子状に配したマチテープを介して表地と裏地を立体キルト状に縫い合わせることにより複数の区画室を製袋し、各区画室に羽毛を充填した羽毛掛け布団において、表地と裏地間に表地側中地と裏地側中地の２枚の中地を介在させることにより、表地と表地側中地間、表地側中地と裏地側中地間、裏地側中地と裏地間のそれぞれを立体キルト状に縫い合わた上層の区画室、中間層の区画室、下層の区画室の上下３層の区画室を設けるとともに、上層の区画室の位置と、中間層の区画室の位置と、下層の区画室の位置をずらすことにより、表地と表地側中地のキルトの縫い目に対し、裏地側中地と裏地間のキルトの縫い目が重ならないようにしたことを特徴とする羽毛掛け布団。
【請求項２】
表地側中地と裏地側中地に表地と裏地より軽量な生地を使用した請求項１記載の羽毛掛け布団。
【請求項３】
軽量な生地としてポリエステルタフタを使用した請求項２記載の羽毛掛け布団。
【考案の詳細な説明】
【技術分野】
【０００１】
この考案は羽毛掛け布団に関し、より詳細には立体キルト状の羽毛掛け布団に関する。
【背景技術】
【０００２】
格子状に配したマチテープを介して表地と裏地を立体キルト状に縫い合わせることにより複数の区画室を製袋し、各区画室に羽毛を充填した羽毛掛け布団が立体キルト羽毛布団として知られている。
【０００３】
図８はこの種の布団を示す図である。ここでは、マチテープＴを境に表地Ａと裏地Ｂを縫い合わせて複数の区画室Ｒを製袋し、各区画室に羽毛を充填している。この場合、表地と裏地との間隔はマチテープの高さにより確保され、さらに、羽毛を高密度で各区画室に充填することにより区画室において表地と裏地がマチテープの上下方向に膨れて羽毛布団自体の高さが確保される。
【０００４】
また図９に示すように、立体キルト羽毛布団において、表地Ａと裏地間Ｂに中地Ｃを介在させることにより表地と中地間、中地と裏地間のそれぞれを立体キルト状に縫い合わた上下２層の区画室を設けた羽毛掛け布団も公知である（特許文献１）。
【先行技術文献】
【特許文献】
【０００５】
【特許文献１】登録第３１８３３３２号実用新案公報
【考案の概要】
【考案が解決しようとする課題】
【０００６】
しかながら、従来技術の立体キルト羽毛布団においては、図８に示すようにマチテープＴの上下にキルトの縫い目が位置するので、これらの縫い目から温かい空気が逃げてしまう問題があった。
【０００７】
これは、上下２層の区画室を設けた図９に示す立体キルト羽毛布団においても同様で、上層の区画室のキルトの縫い目と下層の区画室のキルトの縫い目が重なる結果、これらの縫い目から温かい空気が逃げてしまう問題があった。
【課題を解決するための手段】
【０００８】
この考案は前記の従来の羽毛掛け布団における問題点に鑑みて創作されたものであり、格子状に配したマチテープを介して表地と裏地を立体キルト状に縫い合わせることにより複数の区画室を製袋し、各区画室に羽毛を充填した羽毛掛け布団において、表地と裏地間に表地側中地と裏地側中地の２枚の中地を介在させることにより、表地と表地側中地間、表地側中地と裏地側中地間、裏地側中地と裏地間のそれぞれを立体キルト状に縫い合わた上層の区画室、中間層の区画室、下層の区画室の上下３層の区画室を設けるとともに、上層の区画室の位置と、中間層の区画室の位置と、下層の区画室の位置をずらすことにより、表地と表地側中地のキルトの縫い目に対し、裏地側中地と裏地間のキルトの縫い目が重ならないようにしたことを特徴とする。
【０００９】
また、請求項２にかかわる考案は、前記の羽毛掛け布団において、表地側中地と裏地側中地に表地と裏地より軽量な生地を使用したことを特徴とする。
【００１０】
また、請求項３にかかわる考案は、前記の羽毛掛け布団において、軽量な生地としてポリエステルタフタを使用したことを特徴とする。
【考案の効果】
【００１１】
この考案の羽毛掛け布団は、充填された羽毛が大量の空気を抱き込む区画室を上下３層に設けているので、高い保温性を得ることができる。
【００１２】
そして、上層の区画室、中間層の区画室、下層の区画室の上下３層の区画室を設けるとともに、上層の区画室の位置と、中間層の区画室の位置と、下層の区画室の位置をずらすことにより、表地と表地側中地のキルトの縫い目に対し、裏地側中地と裏地間のキルトの縫い目が重ならないようにしているので、大量の温かい空気を抱き込んだ区画室から縫い目を通して空気が逃げることが防止される。
【００１３】
また、この考案の羽毛掛け布団は上下３層という複雑な構造からなるが、請求項２記載の発明によれば表地側中地と裏地側中地に表地と裏地より軽量な生地を使用するので、布団の可撓性が低下することなく、就寝時に体にフイットすることとなる。
【図面の簡単な説明】
【００１４】
【図１】この考案の羽毛掛け布団の一部切り欠き斜視図。
【図２】同上、断面図。
【図３】同上、使用状態を示す断面図。
【図４】同上、表地の平面図。
【図５】同上、表地側中地の平面図。
【図６】同上、裏地側中地の平面図。
【図７】同上、裏地の平面図。
【図８】従来技術の羽毛掛け布団の側面図。
【図９】従来技術の羽毛掛け布団の正面図。
【考案を実施するための形態】
【００１５】
以下、この考案の羽毛掛け布団の実施例を添付図面に基づいて説明する。図１は掛け布団の一部切り欠き斜視図、同じく図２は断面図である。この考案の羽毛掛け布団は格子状に配したマチテープを介して表地と裏地を立体キルト状に縫い合わせることによりマチテープに囲まれる複数の区画室を製袋し、各区画室に羽毛（図示せず）を充填するが、この場合、表地１と裏地４間に表地側中地２と裏地側中地３の２枚の中地を介在させることにより、表地と表地側中地間、表地側中地と裏地側中地間、裏地側中地と裏地間のそれぞれを立体キルト状に縫い合わせた上層の区画室Ｒ１、中間層の区画室Ｒ２、下層の区画室Ｒ３の上下３層の区画室を設けている。
【００１６】
以上の上下３層の区画室Ｒ１、Ｒ２、Ｒ３はそれぞれ各層において布団の平面方向に連続して複数設けられる。図中符号５Ａ、５Ｂは上層の区画室Ｒ１を構成するための格子状に配した縦横のマチテープ、同じく６Ａ、６Ｂは中間層の区画室Ｒ２を構成するための格子状に配した縦横のマチテープ、同じく７Ａ、７Ｂは下層の区画室Ｒ３を構成するための格子状に配した縦横のマチテープである。これらは、マチテープ５Ａ、５Ｂの上下を表地１および表地側中地２に、マチテープ６Ａ、６Ｂの上下を表地側中地２および裏地側中地３に、マチテープ７Ａ、７Ｂの上下を裏地側中地３および裏地４に、それぞれ縫着することによりマチテープを介して両者を結合する。
【００１７】
この考案においては、上層の区画室Ｒ１の位置と、中間層の区画室Ｒ２の位置と、下層の区画室Ｒ３の位置をずらすことにより、表地１と表地側中地２のキルトの縫い目に対し、裏地側中地３と裏地４間のキルトの縫い目が重ならないようにする。この実施例では布団の平面方向に連続する複数の区画室を、布団の上層においては区画室Ｒ１を幅方向に５つ、全長方向に６つ、中間層においては区画室Ｒ２を幅方向に３つ、全長方向に４つ、下層においては区画室Ｒ３を幅方向に４つ、全長方向に４つ配することにより縫い目が重ならないようにしている。
【００１８】
なお、ここに、「キルトの縫い目」とは具体的には表地１とマチテープ５Ａとの縫い目１５Ａ、同じくマチテープ５Ｂとの縫い目１５Ｂ（図４参照）、表地側中地２とマチテープ５Ａとの縫い目２５Ａ、同じくマチテープ５Ｂとの縫い目２５Ｂ、表地側中地２とマチテープ６Ａとの縫い目２６Ａ、同じくマチテープ６Ｂとの縫い目２６Ｂ（図５参照）、裏地側中地３とマチテープ６Ａとの縫い目２６Ａ、同じくマチテープ６Ｂとの縫い目２６Ｂ、表地側中地２とマチテープ７Ａとの縫い目２７Ａ、同じくマチテープ７Ｂとの縫い目２７Ｂ（図６参照）、表地４とマチテープ７Ａとの縫い目１７Ａ、同じくマチテープ７Ｂとの縫い目１７Ｂ（図４参照）を指す。
【００１９】
次にこの実施例においては表地１および裏地４の素材としてポリエステル８０％、綿２０％からなるＴＴＣ（東レの商品名）生地を、表地側中地２および表地側中地３の素材としてより軽量なポリエステルタフタを採用しているが、生地はこれに限られないことは勿論である。
【符号の説明】
【００２０】
１                表地
２                表地側中地
３                裏地側中地
４                裏地
Ｒ１              （上層の）区画室
Ｒ２              （中間層の）区画室
Ｒ３              （下層の）区画室
【図１】
0003202580.tif 000003
【図２】
0003202580.tif 000004
【図３】
0003202580.tif 000005
【図４】
0003202580.tif 000006
【図５】
0003202580.tif 000007
【図６】
0003202580.tif 000008
【図７】
0003202580.tif 000009
【図８】
0003202580.tif 000010
【図９】
0003202580.tif 000011